(57)【特許請求の範囲】
【請求項１】
丸型導体からなる内部導体を内部絶縁体で被覆し、内部絶縁体の外周に外部導体を設け、外部導体を外部絶縁体で被覆して構成される同軸ケーブルを、複数本並列配置した同軸ケーブルの端末部において、各同軸ケーブルの両端部の外部絶縁体を除去して外部導体を露出させ、露出した外部導体の先端部を除去して内部絶縁体を露出させ、露出した内部絶縁体の先端部を除去して内部導体を露出させ、露出した内部導体を平型導体に変形させ、該同軸ケーブルの下面に、あらかじめその上面に略Ｌ字型のグランド用導電層のみが形成された接着剤付補強板を、前記略Ｌ字型のグランド用導電層の一方側が前記平型導体のピッチと同じピッチになるように貼り合わせるとともに、前記略Ｌ字型のグランド用導電層の他方側が、前記平型導体と電気的に絶縁された状態で、複数本並列配置した同軸ケーブルの夫々の外部導体とはんだ接続されることを特徴とする同軸ケーブルの端末部。
【請求項２】
前記平型導体の下面に接着剤付フィルムを貼り付けて固定し、接着剤付フィルムの下面に接着剤付補強板を設けて補強することを特徴とする請求項１の同軸ケーブルの端末部。
【請求項３】
各同軸ケーブルの配列ピッチを０．５ｍｍとなるように並列し、前記平型導体の幅を０．３ｍｍ±０．０３とし、前記平型導体の厚さを０．３ｍｍ±０．０５とすることを特徴とする請求項１又は２の同軸ケーブルの端末部。
【請求項４】
複数本並列配置した同軸ケーブルの中央部を、粘着テープで上下から挟んで固定したことを特徴とする請求項１乃至３の同軸ケーブルの端末部。
【請求項５】
前記接着剤付補強板が前記粘着テープと接していないことを特徴とする請求項４の同軸ケーブルの端末部。
【発明の詳細な説明】
【０００１】
【発明の属する技術分野】
本発明は、丸型導体を絶縁体で被覆して構成される絶縁ケーブルを、複数本並列配置した丸型導体多心ケーブルの端末部に係り、特に、パソコンの液晶ディスプレイや超音波診断装置のディスプレイ周辺に使用されているＦＰＣ（Flexible Printed Circuit Board：フレキシブルプリント回路板）用コネクタにダイレクト接続を可能とした丸型導体多心ケーブルの端末部に関するものである。
【０００２】
【従来の技術】
ノート型パソコンなどに使われるＬＣＤ（Liquid Crystal Display：液晶ディスプレイ）などの電子機器には、電子機器とケーブルを接続するＦＰＣコネクタが装着されている。ＦＰＣコネクタには、ＦＰＣが挿入される凹状の挿入溝や、挿入溝に沿って設けられ、ＬＣＤとコネクタの挿入溝に挿入されたＦＰＣとを電気的に接続する複数のコンタクトなどが備えられている。
【０００３】
なお、ＦＰＣコネクタは、特開２０００−１００５０５号公報、特開平７−１０６０２８号公報、実開平５−７３８８５号公報などに開示されている。
【０００４】
このＦＰＣコネクタに適応するケーブルには、ＦＰＣの他、複数本の平角導体をＦＰＣコネクタのコンタクトピッチに合わせ、接着剤付フィルム（ポリエステル・ポリイミド等）でラミネートしたＦＦＣ（Flexible Flat Cable）がある。ＦＦＣの場合もＦＰＣと同様、ＦＰＣコネクタにＦＦＣを挿入して、電気的接続を可能にしている。
【０００５】
信号層とＧＮＤ層からなる２層ＦＰＣに関しても、ＧＮＤ付ＦＰＣコネクタに挿入し電気的接続を可能にしている。
【０００６】
近年、ノート型パソコン、携帯用パソコンの小型薄型化にともない、上述したＦＰＣや平角導体を有するＦＦＣでは配線スペースや３６０°屈曲性に限界があり、丸型導体を有する複数本の極細ケーブルや極細同軸ケーブルが使用されるようになってきている。
【０００７】
【発明が解決しようとする課題  】
しかしながら、丸型導体を有するケーブルを使用する場合には、圧着コネクタ・圧接コネクタ・はんだコネクタ等を使用しなくてはいけなくなるため、ＬＣＤなどの電子機器にＦＰＣコネクタがすでに装着されている場合、そのＦＰＣコネクタから、別のコネクタに変更しなくては、丸型導体を有するケーブルの使用は不可能であるという問題がある。
【０００８】
また、ＦＰＣコネクタをそのまま使用し、丸型導体を有するケーブルを使用する場合、中継用ＦＰＣ等を製作し、その中継用ＦＰＣへ一旦はんだ付けをして、使用しなくてはいけないため、中継用ＦＰＣ製作のイニシャルコスト等が発生してしまうのでコスト高になってしまうという問題がある。
【０００９】
そこで、本発明の目的は、電子機器側にすでに装着されているＦＰＣコネクタを変更せずに、ＦＰＣコネクタにダイレクト挿入して接続でき、しかも配線・屈曲性にすぐれた丸型導体多心ケーブルの端末部を提供することにある。
【００１０】
本発明は上記目的を達成するために創案されたものであり、請求項１の発明は、丸型導体からなる内部導体を内部絶縁体で被覆し、内部絶縁体の外周に外部導体を設け、外部導体を外部絶縁体で被覆して構成される同軸ケーブルを複数本並列配置した同軸ケーブルの端末部において、各同軸ケーブルの両端部の外部絶縁体を除去して外部導体を露出させ、露出した外部導体の先端部を除去して内部絶縁体を露出させ、露出した内部絶縁体の先端部を除去して内部導体を露出させ、露出した内部導体を平型導体に変形させ、該同軸ケーブルの下面に、あらかじめその上面に略Ｌ字型のグランド用導電層のみが形成された接着剤付補強板を、前記略Ｌ字型のグランド用導電層の一方側が前記平型導体のピッチと同じピッチになるように貼り合わせるとともに、前記略Ｌ字型のグランド用導電層の他方側が、前記平型導体と電気的に絶縁された状態で、複数本並列配置した同軸ケーブルの夫々の外部導体とはんだ接続されることを特徴とする同軸ケーブルの端末部である。
【００１１】
請求項２の発明は、前記平型導体の下面に接着剤付フィルムを貼り付けて固定し、接着剤付フィルムの下面に接着剤付補強板を設けて補強することを特徴とする請求項１の同軸ケーブルの端末部である。
【００１２】
請求項３の発明は、各同軸ケーブルの配列ピッチを０．５ｍｍとなるように並列し、前記平型導体の幅を０．３ｍｍ±０．０３とし、前記平型導体の厚さを０．３ｍｍ±０．０５とすることを特徴とする請求項１又は２の同軸ケーブルの端末部である。
【００１３】
請求項４の発明は、複数本並列配置した同軸ケーブルの中央部を、粘着テープで上下から挟んで固定したことを特徴とする同軸ケーブルの端末部である。
【００１４】
【発明の実施の形態】
以下、本発明の好適実施の形態を添付図面にしたがって説明する。
【００１５】
図４は、本発明の参考例である丸型導体多心ケーブルの端末部を示し、図４（ａ）は平面図、図４（ｂ）はそのＧ−Ｇ線断面図、図４（ｃ）はＨ−Ｈ線断面図、図４（ｄ）は側面図をそれぞれ示したものである。
【００１６】
図４（ａ）〜（ｄ）に示すように、本発明に係る丸型導体多心ケーブルの端末部１は、ノート型パソコンなどに使われるＬＣＤなどの電子機器に予め装着されているＦＰＣコネクタに挿入されて接続されるものである。この丸型導体多心ケーブルの端末部１では、丸型導体として、例えば、丸型単線導体を用いている。
【００１７】
丸型導体多心ケーブルの端末部１は、丸型単線導体２ａ，２ｂ…を絶縁体３ａ，３ｂ…でそれぞれ被覆して構成される複数本の絶縁ケーブル４ａ，４ｂ…を、所定の配列ピッチｐで並列配置し、並列配置された絶縁ケーブル４ａ，４ｂ…の中央部を、粘着テープ５，５で上下から挟んで固定し、固定された各絶縁ケーブル４ａ，４ｂ…の両端部の絶縁体３ａ，３ｂ…を除去して丸型導体２ａ，２ｂ…を露出させ、露出した丸型単線導体２ａ，２ｂ…を平型単線導体６ａ，６ｂ…にそれぞれ変形させたものである。図４では、１１本の絶縁ケーブルを並列配置した例で描いている。
【００１８】
平型単線導体６ａ，６ｂ…と、露出していない丸型単線導体２ａ，２ｂ…を被覆する絶縁体３ａ，３ｂ…の両端部との下面には、上面に接着剤層が形成された接着剤付フィルム７，７を貼り付けている。露出した丸型単線導体２ａ，２ｂ…を平型単線導体６ａ，６ｂ…に変形させる際、当初の配列ピッチｐからずれが生じるが、露出した丸型単線導体２ａ，２ｂ…を平型単線導体６ａ，６ｂ…に変形させた後、平型単線導体６ａ，６ｂ…を当初の配列ピッチｐとなるように再整列させ、さらに接着剤付フィルム７，７を貼り付けることで、平型単線導体６ａ，６ｂ…を当初の配列ピッチｐで固定することができる。
【００１９】
接着剤付フィルム７，７の下面には、上面に接着剤層が形成された接着剤付補強板８，８を設けており、丸型導体多心ケーブルの端末部１を補強している。接着剤付補強板８の厚さは、端末部の強度を確保するため、接着剤付フィルム７の厚さより厚くなるようにしている。接着剤付補強板８の面積は、接着剤付フィルム７の面積と同じである。
【００２０】
丸型導体多心ケーブルの端末部１の端部の厚さＤｓ、すなわち、接着剤付補強板８の底面から平型単線導体６ａ，６ｂ…の上面までの厚さは、既存のＦＰＣコネクタの凹状の挿入溝に挿入でき、平型単線導体６ａ，６ｂ…とコネクタのコンタクトとが電気的に接続されるような厚さにしている。
【００２１】
本発明の特徴は、丸型導体を有するケーブル（後述するように、同軸ケーブルを含む）の既存のＦＰＣコネクタに挿入される部分のみを、丸型導体から平型導体に変形させ、ＦＰＣやＦＦＣと同構造、つまり接着剤付フィルムと補強板を用いて平型導体を所定のピッチに整列固定し、厚みを既存のＦＰＣコネクタ規定値に調整したことにある。
【００２２】
次に、図１〜図４を用いて丸型導体多心ケーブルの端末部１の製造手順をより詳細に説明する。
【００２３】
図１は、丸型導体多心ケーブルの端末部における丸型単線導体を露出させる工程を示す平面図（ａ）、そのＡ−Ａ線断面図（ｂ）、Ｂ−Ｂ線断面図（ｃ）である。図２は、丸型導体多心ケーブルの端末部における露出させた丸型単線導体平型単線導体に変形させる工程を示す平面図（ａ）、そのＣ−Ｃ線断面図（ｂ）、Ｄ−Ｄ線断面図（ｃ）である。図３は、丸型導体多心ケーブルの端末部における平型単線導体に接着剤付フィルムを貼り付ける工程を示す平面図（ａ）、そのＥ−Ｅ線断面図（ｂ）、Ｆ−Ｆ線断面図（ｃ）、側面図（ｄ）である。
【００２４】
図１（ａ）〜（ｃ）に示すように、まず、１１本の絶縁ケーブル４ａ，４ｂ…を、配列ピッチｐが０．５ｍｍとなるように平行に並べ、その上下から粘着テープ５，５を貼り合わせて、絶縁ケーブル４ａ，４ｂ…を固定する。得られたテープ状の丸型導体多心ケーブルを長さＬが２００ｍｍとなるように切断する。各絶縁ケーブル４ａ，４ｂ…の両端部から各々ＭＩＮ．４ｍｍ以上各絶縁体３ａ，３ｂ…を除去し、丸型単線導体２ａ，２ｂ…を露出させる。
【００２５】
次に、図２（ａ）〜（ｃ）に示すように、露出した各丸型単線導体２ａ，２ｂ…を、０．５ｍｍピッチに溝を切った下金型上に整列させ、その上方から上金型にて各丸型単線導体２ａ，２ｂ…を加圧し、幅ｄが０．３ｍｍ±０．０３の平型単線導体６ａ，６ｂ…に変形させる。
【００２６】
続いて、図３（ａ）〜（ｄ）に示すように、平型単線導体６ａ，６ｂ…を、配列ピッチｐが０．５ｍｍとなるように再整列させ、平型単線導体６ａ，６ｂ…と、露出していない丸型単線導体２ａ，２ｂ…を被覆する絶縁体３ａ，３ｂ…の両端部との下面に、上面に接着剤層が形成された接着剤付フィルム７，７を貼り付けて固定する。
【００２７】
さらに、図４（ａ）〜（ｄ）に示すように、  接着剤付フィルム７，７の下面に、上面に接着剤層が形成された接着剤付補強板８，８を貼り付けて補強すると、丸型導体多心ケーブルの端末部１が完成する。丸型導体多心ケーブルの端末部１の厚さＤは、０．３ｍｍ±０．０５となるようにしている。
【００２８】
このように、本発明に係る丸型導体多心ケーブルの端末部１は、電子機器側にすでに装着されているＦＰＣコネクタに挿入される部分のみを、丸型導体から平型導体に変形させ、ＦＰＣやＦＦＣと同構造、つまり接着剤付フィルムと接着剤付補強板を用いて平型導体を所定のピッチに整列固定し、厚みを既存のＦＰＣコネクタ規定値に調整しているので、既存のＦＰＣコネクタを変更せずに、既存のＦＰＣコネクタにダイレクト挿入して接続できる。
【００２９】
しかも、ＦＰＣコネクタに挿入されない部分、すなわち、絶縁体で被覆されている導体部分は丸型導体なので、平角導体に比べると配線・屈曲性にすぐれている。また、束ね配線も可能である。
【００３０】
次に、第２の実施の形態を説明する。
【００３１】
図５は、本発明の参考例である丸型導体多心ケーブルの端末部の平面図（ａ）、そのＩ−Ｉ線断面図（ｂ）、Ｊ−Ｊ線断面図（ｃ）、側面図（ｄ）である。
【００３２】
図５に示すように、丸型導体多心ケーブルの端末部５０は、各絶縁ケーブル４ａ，４ｂ…両端部の絶縁体４ａ，４ｂ…を除去して丸型単線導体２ａ，２ｂ…を露出させ、露出した丸型単線導体４ａ，４ｂ…の下面に接着剤付フィルム７，７を貼り付けて固定し、接着剤付フィルム７，７の下面に接着剤付補強板８，８を設けて補強したものである。
【００３３】
丸型導体多心ケーブルの端末部５０は、既存のＦＰＣコネクタにダイレクト挿入して接続することはできないが、ＦＰＣコネクタのコンタクト形状を変更すれば、丸型導体のままでも、使用可能である。この丸型導体多心ケーブルの端末部５０は、図４で説明した丸型導体多心ケーブルの端末部５０に比べると、より配線・屈曲性にすぐれているという利点がある。
【００３４】
なお、上記実施の形態では、丸型導体として丸型単線導体を用いた例で説明したが、丸型導体としては、予備はんだ付けした撚り線、ハイラップ導体等でもよい。また、本発明は、ＦＰＣコネクタにダイレクト挿入して接続できるものであるが、ＦＰＣコネクタではなく、ＦＰＣやプリント基板などへのはんだ付けにも応用できる。
【００３５】
次に、第３の実施の形態を説明する。
【００３６】
図６は、本発明の好適実施の形態である同軸ケーブルの端末部の平面図である。
【００３７】
図６に示すように、本発明に係る同軸ケーブルの端末部６０は、ＬＣＤなどの電子機器に予め装着されているＧＮＤ付ＦＰＣコネクタと接続するためのものである。各同軸ケーブル６１ａ，６１ｂ…は、丸型導体としての内部導体６２ａ，６２ｂ…を内部絶縁体６３ａ，６３ｂ…でそれぞれ被覆し、内部絶縁体６３ａ，６３ｂ…の外周に外部導体６４ａ，６４ｂ…をそれぞれ設け、外部導体６４ａ，６４ｂ…を外部絶縁体６５ａ，６５ｂ…でそれぞれ被覆して構成される。
【００３８】
同軸ケーブルの端末部６０は、これら複数本の同軸ケーブル６１ａ，６１ｂ…を並列配置し、各同軸ケーブル６１ａ，６１ｂ…の両端部の外部絶縁体６５ａ，６５ｂ…と内部絶縁体６３ａ，６３ｂ…を除去して外部導体６４ａ，６４ｂ…と内部導体６２ａ，６２ｂ…を露出させ、露出した内部導体６２ａ，６２ｂ…を平型導体６６ａ，６６ｂ…に変形させたものである。
【００３９】
露出した外部導体６４ａ，６４ｂ…と内部導体６２ａ，６２ｂ…の下面には、上面にグランド用の配線パターンとしての導電層６７と接着剤層が形成された接着剤付補強板６８を設けており、同軸ケーブルの端末部６０を補強している。接着剤付補強板６８の上面の導電層６７は、平型導体６６ａ，６６ｂ…と同じピッチになるようにして形成されている。外部導体６４ａ，６４ｂ…と接着剤付補強板６８の導電層６７とは、はんだ接続されている。
【００４０】
このように、本発明に係る同軸ケーブルの端末部６０は、ＧＮＤ付ＦＰＣコネクタに挿入される部分のみを、丸型導体から平型導体に変形させ、接着剤付補強板を用いて平型導体を所定のピッチに整列固定し、厚みを既存のＧＮＤ付ＦＰＣコネクタ規定値に調整しているので、既存のＧＮＤ付ＦＰＣコネクタを変更せずに、既存のＧＮＤ付ＦＰＣコネクタにダイレクト挿入して接続できる。
【００４１】
これにより、本発明は、高周波損失が少なく、端末の処理も簡単な同軸ケーブルにも適用可能であり、ＬＣＤの高画質化に対応させることができる。
【００４２】
また、同軸ケーブルを使用する場合は、例えば、接着剤付補強板の一方の面に、平型導体を所定のピッチに整列固定させる接着剤層を形成すると共に、他方の面に、グランド用の配線パターンとしての導電層を形成し、同軸ケーブルの外部導体と導電層をはんだ付け等で接続してもよい。この場合も、既存のＧＮＤ付ＦＰＣコネクタとの接続が可能となる。
【００４３】
【発明の効果】
以上説明したことから明らかなように、本発明によれば次のごとき優れた効果を発揮する。
【００４４】
本発明に係る同軸ケーブルの端末部は、内部絶縁体から露出した内部導体を平型導体に変形させているので、既存のＦＰＣコネクタを変更せずに、既存のＦＰＣコネクタにダイレクト挿入して接続できる。
【００４５】
（２）同軸ケーブルにも適用可能であり、ＬＣＤの高画質化に対応させることができる。
【図面の簡単な説明】
【図１】  本発明の参考例における一工程を示す平面図（ａ）、そのＡ−Ａ線断面図（ｂ）、Ｂ−Ｂ線断面図（ｃ）である。
【図２】  図１に示した丸型導体多心ケーブルの端末部の次の工程を示す平面図（ａ）、そのＣ−Ｃ線断面図（ｂ）、Ｄ−Ｄ線断面図（ｃ）である。
【図３】  図２に示した丸型導体多心ケーブルの端末部の次の工程を示す平面図（ａ）、そのＥ−Ｅ線断面図（ｂ）、Ｆ−Ｆ線断面図（ｃ）、側面図（ｄ）である。
【図４】  本発明の参考例における平面図（ａ）、そのＧ−Ｇ線断面図（ｂ）、Ｈ−Ｈ線断面図（ｃ）、側面図（ｄ）である（図３に示した丸型導体多心ケーブルの端末部の次の工程を示している）。
【図５】  本発明の参考例の第２の実施の形態である丸型導体多心ケーブルの端末部の平面図（ａ）、そのＩ−Ｉ線断面図（ｂ）、Ｊ−Ｊ線断面図（ｃ）、側面図（ｄ）である。
【図６】  本発明の好適実施の形態である同軸ケーブルの端末部の平面図である。
【符号の説明】
１  丸型導体多心ケーブルの端末部
２ａ，２ｂ…  丸型単線導体（丸型導体）
３ａ，３ｂ…  絶縁体
４ａ，４ｂ…  絶縁ケーブル
６ａ，６ｂ…  平型単線導体（平型導体）
【図１】
0003750564.tif 000002
【図２】
0003750564.tif 000003
【図３】
0003750564.tif 000004
【図４】
0003750564.tif 000005
【図５】
0003750564.tif 000006
【図６】
0003750564.tif 000007